(57)【特許請求の範囲】
【請求項１】
動画を撮影して動画データを生成する生成手段と、
前記生成手段によって生成された動画データを記録媒体の記録ファイルに記録するとともに、前記記録ファイルのファイルサイズが第１のサイズに達した場合に、前記記録ファイルへの記録を止めて、新規の記録ファイルへ記録を開始する記録手段と、
前記動画データを記録する記録ファイルの切り替えを指示する指示手段と、
前記記録ファイルのファイルサイズが前記第１のサイズよりも小さい第２のサイズに達した場合に、前記動画データを記録する記録ファイルを切り替える予告を表示部に表示する表示制御手段とを有し、
前記記録手段は、前記表示制御手段により前記記録ファイルを切り替える予告が表示されている間に、前記指示手段により記録ファイルの切り替えが指示されると、前記記録ファイルのファイルサイズが前記第１のサイズに達する前に前記記録ファイルへの記録を止めて、新規の記録ファイルへ記録を開始することを特徴とする撮像装置。
【請求項２】
前記表示制御手段は、前記記録ファイルのファイルサイズが前記第１のサイズに達した場合に、前記記録ファイルを切り替える予告の表示を終了することを特徴とする請求項１に記載の撮像装置。
【請求項３】
前記第１のサイズはファイルシステムの最大管理容量であることを特徴とする請求項１または２に記載の撮像装置。
【請求項４】
前記第２のサイズは、ファイルサイズが前記第１のサイズに達するまでの残り時間が所定時間となるファイルサイズであることを特徴とする請求項１乃至３のいずれか１項に記載の撮像装置。
【請求項５】
前記表示制御手段は、記録時間の表示を点滅させることによって前記記録ファイルを切り替える予告を表示することを特徴とする請求項１乃至４のいずれか１項に記載の撮像装置。
【請求項６】
前記表示制御手段は、タイムコードの表示を点滅させることによって前記記録ファイルを切り替える予告を表示することを特徴とする請求項１乃至４のいずれか１項に記載の撮像装置。
【請求項７】
動画を撮影して動画データを生成する生成手段と、
前記生成手段によって生成された動画データを記録媒体の記録ファイルに記録するとともに、前記記録ファイルの記録時間が第１の時間に達した場合に、前記記録ファイルへの記録を止めて、新規の記録ファイルへの記録を開始する記録手段と、
前記動画データを記録する記録ファイルの切り替えを指示する指示手段と、
前記記録ファイルの記録時間が前記第１の時間よりも短い第２の時間に達した場合に、前記動画データを記録する記録ファイルを切り替える予告を表示部に表示する表示制御手段とを有し、
前記記録手段は、前記表示制御手段により前記記録ファイルを切り替える予告が表示されている間に、前記指示手段により記録ファイルの切り替えが指示されると、前記記録ファイルの記録時間が前記第１の時間に達する前に前記記録ファイルへの記録を止めて、新規の記録ファイルへ記録を開始することを特徴とする撮像装置。
【請求項８】
動画を撮影して動画データを生成する生成手段と、
前記生成手段によって生成された動画データを第１の記録媒体の記録ファイルに記録するとともに、前記第１の記録媒体の残り容量が第１の容量以下となった場合に、前記第１の記録媒体への記録を止めて、前記第１の記録媒体とは異なる第２の記録媒体へ記録を開始する記録手段と、
前記動画データを記録する記録ファイルの切り替えを指示する指示手段と、
前記第１の記録媒体の残り容量が前記第１の容量よりも大きい第２の容量以下となった場合に、前記動画データを記録する記録媒体を切り替える予告を表示部に表示する表示制御手段とを有し、
前記記録手段は、前記表示制御手段により前記記録ファイルを切り替える予告が表示されている間に、前記指示手段により記録ファイルの切り替えが指示されると、前記第１の記録媒体の残り容量が前記第１の容量に達する前に前記記録ファイルへの記録を止めて、新規の記録ファイルへ記録を開始することを特徴とする撮像装置。
【請求項９】
動画を撮影して動画データを生成する生成工程と、
前記生成工程において生成された動画データを記録媒体の記録ファイルに記録するとともに、前記記録ファイルのファイルサイズが第１のサイズに達した場合に、前記記録ファイルへの記録を止めて、新規の記録ファイルへ記録を開始する記録工程と、
前記動画データを記録する記録ファイルの切り替えを指示する指示工程と、
前記記録ファイルのファイルサイズが前記第１のサイズよりも小さい第２のサイズに達した場合に、前記動画データを記録する記録ファイルを切り替える予告を表示部に表示する表示制御工程とを有し、
前記記録工程においては、前記表示制御工程により前記記録ファイルを切り替える予告が表示されている間に、前記指示工程により記録ファイルの切り替えが指示されると、前記記録ファイルのファイルサイズが前記第１のサイズに達する前に前記記録ファイルへの記録を止めて、新規の記録ファイルへ記録を開始することを特徴とする撮像装置の制御方法。
【請求項１０】
動画を撮影して動画データを生成する生成工程と、
前記生成工程において生成された動画データを記録媒体の記録ファイルに記録するとともに、前記記録ファイルの記録時間が第１の時間に達した場合に、前記記録ファイルへの記録を止めて、新規の記録ファイルへの記録を開始する記録工程と、
前記動画データを記録する記録ファイルの切り替えを指示する指示工程と、
前記記録ファイルの記録時間が前記第１の時間よりも短い第２の時間に達した場合に、前記動画データを記録する記録ファイルを切り替える予告を表示部に表示する表示制御工程とを有し、
前記記録工程においては、前記表示制御工程により前記記録ファイルを切り替える予告が表示されている間に、前記指示工程により記録ファイルの切り替えが指示されると、前記記録ファイルの記録時間が前記第１の時間に達する前に前記記録ファイルへの記録を止めて、新規の記録ファイルへ記録を開始することを特徴とする撮像装置の制御方法。
【請求項１１】
動画を撮影して動画データを生成する生成工程と、
前記生成工程において生成された動画データを第１の記録媒体の記録ファイルに記録するとともに、前記第１の記録媒体の残り容量が第１の容量以下となった場合に、前記第１の記録媒体への記録を止めて、前記第１の記録媒体とは異なる第２の記録媒体へ記録を開始する記録工程と、
前記動画データを記録する記録ファイルの切り替えを指示する指示工程と、
前記第１の記録媒体の残り容量が前記第１の容量よりも大きい第２の容量以下となった場合に、前記動画データを記録する記録媒体を切り替える予告を表示部に表示する表示制御工程とを有し、
前記記録工程においては、前記表示制御工程により前記記録ファイルを切り替える予告が表示されている間に、前記指示工程により記録ファイルの切り替えが指示されると、前記第１の記録媒体の残り容量が前記第１の容量に達する前に前記記録ファイルへの記録を止めて、新規の記録ファイルへ記録を開始することを特徴とする撮像装置の制御方法。
【請求項１２】
動画を撮影して動画データを生成する生成工程と、
前記生成工程において生成された動画データを記録媒体の記録ファイルに記録するとともに、前記記録ファイルのファイルサイズが第１のサイズに達した場合に、前記記録ファイルへの記録を止めて、新規の記録ファイルへ記録を開始する記録工程と、
前記動画データを記録する記録ファイルの切り替えを指示する指示工程と、
前記記録ファイルのファイルサイズが前記第１のサイズよりも小さい第２のサイズに達した場合に、前記動画データを記録する記録ファイルを切り替える予告を表示部に表示する表示制御工程とをコンピュータに実行させ、
前記記録工程においては、前記表示制御工程により前記記録ファイルを切り替える予告が表示されている間に、前記指示工程により記録ファイルの切り替えが指示されると、前記記録ファイルのファイルサイズが前記第１のサイズに達する前に前記記録ファイルへの記録を止めて、新規の記録ファイルへ記録を開始することを特徴とするプログラム。
【請求項１３】
動画を撮影して動画データを生成する生成工程と、
前記生成工程において生成された動画データを記録媒体の記録ファイルに記録するとともに、前記記録ファイルの記録時間が第１の時間に達した場合に、前記記録ファイルへの記録を止めて、新規の記録ファイルへの記録を開始する記録工程と、
前記動画データを記録する記録ファイルの切り替えを指示する指示工程と、
前記記録ファイルの記録時間が前記第１の時間よりも短い第２の時間に達した場合に、前記動画データを記録する記録ファイルを切り替える予告を表示部に表示する表示制御工程とをコンピュータに実行させ、
前記記録工程においては、前記表示制御工程により前記記録ファイルを切り替える予告が表示されている間に、前記指示工程により記録ファイルの切り替えが指示されると、前記記録ファイルの記録時間が前記第１の時間に達する前に前記記録ファイルへの記録を止めて、新規の記録ファイルへ記録を開始することを特徴とするプログラム。
【請求項１４】
動画を撮影して動画データを生成する生成工程と、
前記生成工程において生成された動画データを第１の記録媒体の記録ファイルに記録するとともに、前記第１の記録媒体の残り容量が第１の容量以下となった場合に、前記第１の記録媒体への記録を止めて、前記第１の記録媒体とは異なる第２の記録媒体へ記録を開始する記録工程と、
前記動画データを記録する記録ファイルの切り替えを指示する指示工程と、
前記第１の記録媒体の残り容量が前記第１の容量よりも大きい第２の容量以下となった場合に、前記動画データを記録する記録媒体を切り替える予告を表示部に表示する表示制御工程とをコンピュータに実行させ、
前記記録工程においては、前記表示制御工程により前記記録ファイルを切り替える予告が表示されている間に、前記指示工程により記録ファイルの切り替えが指示されると、前記第１の記録媒体の残り容量が前記第１の容量に達する前に前記記録ファイルへの記録を止めて、新規の記録ファイルへ記録を開始することを特徴とするプログラム。
【請求項１５】
請求項１２乃至１４のいずれか１項に記載のプログラムを記憶したことを特徴とするコンピュータ読み取り可能な記憶媒体。
【発明の詳細な説明】
【技術分野】
【０００１】
本発明は撮像装置、撮像装置の制御方法、プログラム及び記憶媒体に関し、特に、動画を撮影するために用いて好適な技術に関する。
【背景技術】
【０００２】
従来、撮像装置には、動画の撮影中に記録ファイルを切り替えて動画の撮影を継続するものが存在する。例えば、特許文献１では、動画の撮影中にファイルサイズが所定サイズになると新規ファイルを生成して引き続き動画の撮影を継続する記録装置が開示されている。
【先行技術文献】
【特許文献】
【０００３】
【特許文献１】特開２００９−３３２４６号公報
【発明の概要】
【発明が解決しようとする課題】
【０００４】
しかしながら、前述の特許文献１に開示された従来技術では、新規ファイルに切り替える前に切り替え予告表示が行われないため、ユーザは記録ファイルが切り替わるタイミングを事前に知ることができないという問題点がある。
【０００５】
本発明は前述の問題点に鑑み、動画の撮影中にファイルサイズが所定サイズになり、動画の撮影を継続して新規ファイルを生成する前に、記録されるファイルが切り替わることをユーザが識別できるようにすることを目的としている。
【課題を解決するための手段】
【０００６】
本発明の撮像装置は、動画を撮影して動画データを生成する生成手段と、前記生成手段によって生成された動画データを記録媒体の記録ファイルに記録するとともに、前記記録ファイルのファイルサイズが第１のサイズに達した場合に、前記記録ファイルへの記録を止めて、新規の記録ファイルへ記録を開始する記録手段と、前記動画データを記録する記録ファイルの切り替えを指示する指示手段と、前記記録ファイルのファイルサイズが前記第１のサイズよりも小さい第２のサイズに達した場合に、前記動画データを記録する記録ファイルを切り替える予告を表示部に表示する表示制御手段とを有し、前記記録手段は、前記表示制御手段により前記記録ファイルを切り替える予告が表示されている間に、前記指示手段により記録ファイルの切り替えが指示されると、前記記録ファイルのファイルサイズが前記第１のサイズに達する前に前記記録ファイルへの記録を止めて、新規の記録ファイルへ記録を開始することを特徴とする。
【発明の効果】
【０００７】
本発明によれば、動画の撮影中にファイルサイズが所定サイズになり、新規ファイルを生成する前に、記録されるファイルが切り替わることをユーザが識別することができる。
【図面の簡単な説明】
【０００８】
【図１】実施形態に係るデジタルカメラの外観構成例を示す図である。
【図２】実施形態に係るデジタルカメラの内部構成例を示すブロック図である。
【図３】実施形態において、動画の撮影中に記録ファイルを切り替える前に切り替え予告表示を行う動作手順の一例を示すフローチャートである。
【図４】動画の記録を開始する前後の表示画面の一例を示す図である。
【図５】タイムラインを含む、動画の記録を開始する前後の表示画面の一例を示す図である。
【図６】撮影された動画が２つ以上のファイルに分かれた旨が表示された表示画面の一例を示す図である。
【図７】録音レベルの設定画面の一例を示す図である。
【発明を実施するための形態】
【０００９】
以下、図面を参照しながら本発明の好適な実施形態について説明する。
図１は、本実施形態において、撮像装置の一例としてデジタルカメラ１００の外観構成例を示す図である。
図１において、表示部２８は、画像や各種情報を表示する表示部である。シャッターボタン６１は、撮影指示を行うための操作部材である。モード切替スイッチ６０は、各種モードを切り替えるための操作部材である。コネクタ１１２は、接続ケーブルとデジタルカメラ１００とのコネクタである。
【００１０】
操作部７０は、ユーザからの各種操作を受け付ける各種スイッチ、ボタン、タッチパネル等の操作部材からなる操作部である。タッチホイール７３は、操作部７０に含まれるタッチ操作可能な操作部材であり、方向ボタンと共に選択項目を指示する際などに使用される。タッチホイール７３は、タッチセンサよりなる操作部材で、タッチホイール７３自体は回転せず、タッチホイール７３上でのユーザの指の回転動作などが検出される。電源スイッチ７２は、電源をオンまたはオフに切り替えるスイッチである。記録媒体２００は、メモリカードやハードディスク等の記録媒体である。記録媒体スロット２０１は、記録媒体２００を格納するためのスロットである。記録媒体スロット２０１に格納された記録媒体２００は、デジタルカメラ１００との通信が可能となる。蓋２０２は記録媒体スロット２０１の蓋である。
【００１１】
図２は、本実施形態に係るデジタルカメラ１００の内部構成例を示すブロック図である。
図２において、撮影レンズ１０３は、ズームレンズ及びフォーカスレンズを含むレンズ群である。シャッター１０１は、絞り機能を備えるシャッターである。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１及び撮像部２２を含む撮像系の汚れや破損を防止する。
【００１２】
画像処理部２４は、Ａ／Ｄ変換器２３から出力されるデジタル信号（画像データ）、又はメモリ制御部１５から出力されるデータに対し、所定の画素補間、縮小といったリサイズ処理や色変換処理を行う。また、画像処理部２４では、撮像して得られた画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像して得られた画像データを用いて所定の演算処理を行い、得られた演算結果に基づいてＴＴＬ方式のＡＷＢ（オートホワイトバランス）処理も行っている。
【００１３】
Ａ／Ｄ変換器２３から出力されるデジタル信号（画像データ）は、画像処理部２４及びメモリ制御部１５を介して、或いは、メモリ制御部１５を介してメモリ３２に直接書き込まれる。メモリ３２は、撮像部２２によって得られ、Ａ／Ｄ変換器２３によりデジタルデータに変換された画像データや、表示部２８に表示するための画像データを格納する。また、メモリ３２は、所定数の静止画データや所定時間の動画データ、及び音声データを格納するのに十分な記憶容量を備えている。
【００１４】
さらに、メモリ３２は、画像表示用のメモリ（ビデオメモリ）を兼ねており、Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により画像として表示される。表示部２８は、ＬＣＤ等の表示器上に、Ｄ／Ａ変換器１３から供給されたアナログ信号に応じた表示を行う。Ａ／Ｄ変換器２３によって一度Ａ／Ｄ変換されてメモリ３２に蓄積されたデジタル信号をＤ／Ａ変換器１３においてアナログ変換し、表示部２８に逐次転送して表示することにより、電子ビューファインダとして機能し、スルー画像表示を行うことができる。
【００１５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１６】
システム制御部５０は、デジタルカメラ１００全体を制御する。前述した不揮発性メモリ５６に記録されたプログラムに基づいて実行することにより、後述する本実施形態の各処理を実現する。また、システム制御部５０は、メモリ３２、Ｄ／Ａ変換器１３、表示部２８等を制御することにより表示制御も行う。システムメモリ５２は、例えばＲＡＭが用いられ、システム制御部５０の動作用の定数、変数、不揮発性メモリ５６から読み出したプログラム等を展開する。システムタイマー５３は、各種制御に用いる時間や、内蔵された時計の時間を計測する計時部である。
【００１７】
モード切替スイッチ６０、第１シャッタースイッチ６２、第２シャッタースイッチ６３、及び操作部７０はシステム制御部５０に各種の動作指示を入力するための操作手段である。
【００１８】
モード切替スイッチ６０は、システム制御部５０の動作モードを静止画記録モード、動画記録モード、再生モード等のいずれかに切り替える。静止画記録モードに含まれるモードとしては、オート撮影モード、オートシーン判別モード、マニュアルモード、撮影シーン別の撮影設定となる各種シーンモード、プログラムＡＥモード、カスタムモード等がある。モード切替スイッチ６０により、静止画撮影モードに含まれるこれらのモードのいずれかに直接切り替えられる。なお、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００１９】
第１シャッタースイッチ６２は、デジタルカメラ１００に設けられたシャッターボタン６１の操作途中の半押し（撮影準備指示）でＯＮとなり、第１シャッタースイッチ信号ＳＷ１を発生する。システム制御部５０に第１シャッタースイッチ信号ＳＷ１が入力されると、ＡＦ（オートフォーカス）処理、ＡＥ（自動露出）処理、ＡＷＢ（オートホワイトバランス）処理、ＥＦ（フラッシュプリ発光）処理等の動作を開始する。
【００２０】
第２シャッタースイッチ６３は、シャッターボタン６１の操作完了である全押し（撮影指示）でＯＮとなり、第２シャッタースイッチ信号ＳＷ２を発生する。システム制御部５０に第２シャッタースイッチ信号ＳＷ２が入力されると、撮像部２２の信号読み出しから記録媒体２００に画像データを書き込むまでの一連の撮影処理の動作を開始する。
【００２１】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。
【００２２】
また、図１に示すタッチホイール７３がタッチ操作されると、タッチ操作に応じて電気的なパルス信号が発生し、このパルス信号に基づいてシステム制御部５０はデジタルカメラ１００の各部を制御する。このパルス信号によって、タッチホイール７３がタッチ操作された方向や、何回転したかなどを判定することができる。なお、タッチホイール７３はタッチ操作が検出できる操作部材であればどのようなものでもよい。
【００２３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ電力を供給する。
【００２４】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影により得られた画像データを記録するためのメモリカード等の記録媒体であり、半導体メモリや磁気ディスク等から構成される。
【００２５】
図３は本実施形態において、動画の撮影中に記録ファイルを切り替える前に切り替え予告表示を行う動作手順の一例を示すフローチャートである。なお、図３に示すフローチャートは、不揮発性メモリ５６に記録されたプログラムを、システムメモリ５２に読み出してシステム制御部５０が実行することにより実現する。
【００２６】
ここで、図４（ａ）は、動画の記録を開始する前の表示画面の一例を示す図である。図４（ａ）に示す画面には、現在の動画撮影の設定において記録媒体２００が記録できる記録可能時間４０１が表示されている。また、図５（ａ）は、動画の記録を開始する前のタイムコードを含む表示画面の一例を示す図である。図５（ａ）に示すように、タイムコードを表示する場合は、例えば表示画面の上側にタイムコード５０１が表示される。
【００２７】
まず、図３において、システム制御部５０が操作部７０から動画記録の開始動作指示を受け取ると処理を開始し、Ｓ３０１において、動画の記録を開始する。具体的には、システム制御部５０は、記録媒体２００に記録ファイルを作成し、撮像部２２から入力された信号をＡ／Ｄ変換器２３及び画像処理部２４などで処理し、処理された動画データをその記録ファイルに記録する。このとき、記録媒体２００に作成した記録ファイルに関する情報として、ファイル名や記録媒体２００上のアドレスなどの情報をシステムメモリ５２に記録する。
【００２８】
また、動画の記録を開始すると、システム制御部５０は、表示部２８に記録時間(記録開始からの経過時間)を表示する。図４（ｂ）は、動画の記録を開始した後の表示画面の一例を示す図である。図４（ｂ）に示すように、表示画面には、記録時間４０２が表示され、表示画面の右上には、動画記録マーク４０３が表示される。また、図５（ｂ）は、動画の記録を開始した後のタイムコードを含む表示画面の一例を示す図である。図５（ｂ）に示すように、表示画面の上側にはタイムコード５０１が表示され、さらに記録時間４０２が表示される。また、表示画面の右上には動画記録マーク４０３が表示される。
【００２９】
タイムコードとしては大きく分けて２種類ある。１つはレックランであり、ユーザが０にセットした以降に記録された複数の動画の累計記録時間である。図５（ｂ）には、レックランの表示例を示しており、ユーザがレックランを０にリセットしてから、それ以降に撮影された動画の累計記録時間が１５分４７秒であることを示している。もう一つはフリーランであり、動画を記録中であるか否かに関わらず、システムタイマー５３に合わせてカウントされる実時間である。本実施形態においては、タイムコード５０１には、時計通りの実時間を表示するか、０にリセットした時点からの累計記録時間とするかを設定することができる。また、タイムコードは、記録される動画の属性情報として記録される。
【００３０】
次に、Ｓ３０２においては、システム制御部５０は、操作部７０から動画記録の終了動作指示を受け取ったか否かを判定する。この判定の結果、動画記録の終了動作指示を受け取らず、動画記録を継続する場合はＳ３０３に進み、動画記録の終了動作指示を受け取り、動画記録を終了する場合はＳ３０８に進む。
【００３１】
Ｓ３０３においては、システム制御部５０は、記録ファイルのファイルサイズを計測する。そして、Ｓ３０４において、システム制御部５０は、記録ファイルのファイルサイズが、１つの記録ファイルの上限となる第１のサイズよりも小さい第２のサイズに達したか否かを判定する。この判定の結果、記録ファイルのファイルサイズが第２のサイズに達した場合はＳ３０５に進み、記録ファイルのファイルサイズが第２のサイズに達していない場合はＳ３０２に戻る。
【００３２】
ここで、第１のサイズは、記録ファイルを新規ファイルに切り替えるための閾値となる容量であり、例えば、ファイルシステムの最大管理容量を指す。また、第２のサイズは、切替予告表示をするための閾値となる容量である。本実施形態では、記録ファイルのファイルサイズが第２のサイズに達すると、第１のサイズに近づいていることから、もうすぐ記録ファイルを新規ファイルに切り替えることを通知する。
【００３３】
また、第２のサイズは、例えば、現在の動画撮影設定における画像サイズ（画素数）、記録方式、圧縮率、フレームレートなどに基づいて設定される。例えば、第１のサイズとの差分のサイズで記録できる時間が所定時間となるように第２のサイズを算出することにより、第１のサイズに達するまでの時間を固定することができ、切替予告表示を開始することができる。この場合、第２のサイズは、第１のサイズに達するまでの残り時間が所定時間であると推定されるファイルサイズである。
【００３４】
Ｓ３０５においては、システム制御部５０は、表示部２８に記録ファイルの切替予告表示を行う。ここで、切替予告表示では、例えば、記録時間やタイムコードの表示を点滅させる。図４（ｂ）に示す例では、記録時間４０２を点滅させ、図５（ｂ）に示す例では、タイムコード５０１の表示を点滅させる。なお、これらの点滅表示の代わりに、もうすぐ記録ファイルが切り替わることを明示的に示すガイダンスやアイコンなどを表示してもよく、前述した点滅表示とともにこれらを表示してもよい。
【００３５】
次に、Ｓ３０６においては、システム制御部５０は、操作部７０から動画記録の終了動作指示を受け取ったか否かを判定する。この判定の結果、動画記録の終了動作指示を受け取らず、動画記録を継続する場合はＳ３０９に進み、動画記録の終了動作指示を受け取り、動画記録を終了する場合はＳ３０７に進む。
【００３６】
Ｓ３０７においては、システム制御部５０は、表示部２８での記録ファイルの切替予告表示を終了させる。例えば、図４（ｂ）に示す記録時間４０２の表示や図５（ｂ）に示すタイムコード５０１の表示の点滅を終了させる。
【００３７】
Ｓ３０８においては、システム制御部５０は、動画記録における一連の動作を終了する。そして、Ｓ３０９において、システム制御部５０は、システムメモリ５２に保持されている記録ファイルに関する情報を参照する。そして、今回の撮影によって記録された動画が、２つ以上のファイルに跨って記録されたか否かを判定する。この判定の結果、２つ以上のファイルに跨って記録された場合はＳ３１０に進み、そうでない場合はＳ３１２に進む。
【００３８】
Ｓ３１０においては、システム制御部５０は、表示部２８に、今回撮影された動画が２つ以上のファイルに分かれた旨を表示部２８に表示する。図６には、今回撮影された動画が２つ以上のファイルに分かれた旨が表示された表示画面の一例を示している。ユーザは図６に示すような表示画面を見ることにより、今回の撮影によって記録された動画は２つ以上のファイルに分かれたことを識別することができる。そして、今回撮影した動画を確認したい場合は、最新の動画ファイルだけではなくそのいくつか前のファイルから確認しなければならないことなどを判断できる。
【００３９】
次に、Ｓ３１１においては、システム制御部５０は、Ｓ３１０で表示した画面を確認した旨の操作を操作部７０から受付けるか、あるいはＳ３１１で表示を開始してから数秒程度の所定時間が経過するまで待機する。確認済み操作を受け付けるか、所定時間が経過すると、Ｓ３１１で開始した表示を終了し、次のＳ３１２へ進む。
【００４０】
次に、Ｓ３１２においては、システム制御部５０は、動画の記録開始前に表示された画面と同じように、表示部２８に動画の記録待機中表示を行い、処理を終了する。すなわち、例えば、図４（ａ）もしくは図５（ｂ）に示した画面を再び表示する。今回撮影された動画が２つ以上のファイルに分かれた旨が表示されていない場合は、表示部２８に記録可能時間４０１を再表示し、動画記録マーク４０３を非表示にする。
【００４１】
一方、Ｓ３１３においては、システム制御部５０は、操作部７０から記録ファイルの切替動作指示を受け取ったかを判定する。この判定の結果、記録ファイルの切り替え動作指示を受け取らなかった場合はＳ３１４に進み、記録ファイルの切替動作指示を受け取った場合はＳ３１６に進む。
【００４２】
Ｓ３１４においては、システム制御部５０は、記録ファイルのファイルサイズを計測する。そして、Ｓ３１５において、システム制御部５０は、記録ファイルのファイルサイズが前述した第１のサイズに達したか否かを判定する。この判定の結果、記録ファイルのファイルサイズが第１のサイズに達した場合はＳ３１６に進み、記録ファイルのファイルサイズが第１のサイズに達していない場合はＳ３０６に戻る。
【００４３】
Ｓ３１６においては、システム制御部５０は、表示部２８における記録ファイルの切替予告表示を終了する。図４（ｂ）に示す例では、記録時間４０２の点滅表示を終了させ、図５（ｂ）に示す例では、タイムコード５０１の点滅表示５１を終了させる。
【００４４】
次に、Ｓ３１７においては、システム制御部５０は、記録媒体２００に新規の記録ファイルを作成し、現在記録している記録ファイルへの書き込みを止め、新規の記録ファイルへの記録を開始し、Ｓ３０２に戻る。また、記録を開始した新規の記録ファイルに関する情報として、ファイル名や記録媒体２００内におけるアドレスなどの情報をシステムメモリ５２に記録する。これにより、システムメモリ５２には、記録ファイルを切り替える前後のファイルの情報が保持されることになる。したがって、今回撮影している動画がいくつに分かれたか、どのファイルであるかなどがシステムメモリ５２に保持した情報からわかるようになる。
【００４５】
なお、動画の撮影中に録音レベルを設定することができる。録音レベルを設定する時は、タッチホイール７３を操作することにより録音レベルを設定する。また、図７に示すように、タッチホイールアイコン７０１及び録音レベル７０２を表示して録音レベルを設定できるようにしてもよい。
【００４６】
以上のように本実施形態によれば、動画の撮影中に記録ファイルのファイルサイズが第１のサイズに達して新規の記録ファイルを生成する前に、ファイルサイズが第２のサイズに達した段階で切替予告を表示するようにした。
【００４７】
これにより、ユーザは、動画の撮影中に記録ファイルが切り替わる前に、そろそろ記録ファイルが切り替わりそうだということを認識することができる。そのため、ファイル数が増えてファイル管理が煩雑になることを防ぎたいような場合に、切替予告表示が開始され、記録ファイルの切替が行われる前に動画記録を終了させることによって、ファイル数が不用意に増えることを防止できる。また、ユーザは切替予告が表示されている間に、意図したタイミングで記録ファイルを切り替えられることを指示することができる。
【００４８】
なお、本実施形態では、記録中の記録ファイルのファイルサイズが第１のサイズに達した場合に、新規の記録ファイルに切り替えて動画の記録を継続する例について説明した。一方、他の理由により記録ファイルを切り替えて動画の記録を継続する場合にも本発明を適用可能である。
【００４９】
例えば、動画をサーバー上にアップロードすることを想定し、１ファイルあたりの動画の記録時間の上限を所定時間（第１の時間）に制限するような場合がある。この場合にも、１ファイルの動画の記録時間が第１の時間に達すると、新規の記録ファイルに切り替えて動画の記録を継続する。具体的には、前述した図３に示した各処理において、記録ファイルサイズを記録時間、第１のサイズを第１の時間、第２のサイズを第１の時間よりも短い第２の時間と置き換えることにより同様に実施可能である。
【００５０】
また、複数の記録媒体に跨ったリレー記録を行う場合にも本発明は適用可能である。リレー記録とは、第１の記録媒体に動画を記録中に、第１の記録媒体の残り容量が所定の容量（第１の容量）以下になった場合に、第２の記録媒体に対して動画の記録を継続する記録方法である。
【００５１】
リレー記録では、第１の記録媒体の残り容量が、第１の容量よりも大きい第２の容量以下となり、そろそろ第１の容量以下となりそうな場合に、切り換え予告表示を開始する。この場合、前述した図１のデジタルカメラ１００は、記録媒体２００の他に、内臓メモリや他のメモリカードなど他の記録媒体にも動画を記録可能なハードウェア構成であるものとする。
【００５２】
そして、前述した図３のＳ３０３及びＳ３１４において、ファイルサイズを計測する代わりに、記録中の記録媒体における残り容量を計測する。また、Ｓ３０４では、記録中の記録媒体の残り容量が第２の容量以下であるか否かを判定し、Ｓ３１５では、記録中の記録媒体の残り容量が第１の容量以下であるか否かを判定する。さらに、Ｓ３１７では、記録ファイルを、他の記録媒体に切り替える。これにより、リレー記録でも上述の実施形態と同様に実施可能である。
【００５３】
（その他の実施形態）
なお、システム制御部５０の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５４】
また、上述した実施形態においては、本発明をデジタルカメラに適用した場合を例にして説明したが、これはこの例に限定されず、動画を撮影可能な撮像装置であれば適用可能である。すなわち、本発明はカメラ付きパーソナルコンピュータやカメラ付きＰＤＡ、カメラ付き携帯電話端末、カメラ付き音楽プレーヤー、カメラ付きゲーム機、カメラ付き電子ブックリーダーなどに適用可能である。
【００５５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶したコンピュータ読み取り可能な記憶媒体は本発明を構成することになる。
【符号の説明】
【００５６】
１５  メモリ制御部
２２  撮像部
５０  システム制御部
【図１】
0005755035.tif 000002
【図２】
0005755035.tif 000003
【図３】
0005755035.tif 000004
【図４】
0005755035.tif 000005
【図５】
0005755035.tif 000006
【図６】
0005755035.tif 000007
【図７】
0005755035.tif 000008